(57)【要約】【課題】封書と封書内部の印刷物とを一体化させた、低コストかつ訴求効果のある封書を提供する。【解決手段】封書は、封書を形成する封書裏面となる封書裏片１と、冊子及びジャバラを形成する複数のデータ印刷紙２〜６と、封書を形成する封書表面となる封書表片７とを貼り合わせて構成される。封書表片７は、中央部に長方形状に区画されたジッパーとなる部分を有し、また、ジッパー部を挟んで冊子状のデータ印刷紙を形成する部分と、ジャバラ状のデータ印刷紙を形成する部分とを有する。また、封書裏片１の両端部には、ミシン目が形成されており、冊子状のデータ印刷紙とジャバラ状のデータ印刷紙とが貼り合わされる。【選択図】　　　　図１
2004042387.tif 000002
【特許請求の範囲】
【請求項１】
各種情報が印刷されたデータ紙片が、封書表面となる封書表片と封書裏面となる封書裏片との周辺において接着されてなる封書内部に位置するように、前記データ紙片と、前記封書表片と、前記封書裏片との両端部において綴合せてなる封書であって、
前記データ紙片は、前記データ紙片を複数に分割する切り取り予定線又は前記切り取り予定線により分割した複数のデータ紙片を有し、
前記封書表片及び前記封書裏片は、
前記封書表片及び前記封書裏片の一部が前記切り取り予定線により分割されるデータ紙片を具備したまま、前記封書から分離可能となる切断予定線を有することを特徴とする封書。
【請求項２】
前記封書裏片及び前記封書表片の有する切断予定線の一方は、封書を開封するジッパー部を形成することを特徴とする請求項１記載の封書。
【請求項３】
前記データ紙片と、前記封書表片と、前記封書裏片との少なくとも１つに、個人に関する情報を印字することを特徴とする請求項１記載の封書。
【請求項４】
前記切り取り予定線により分割する複数のデータ紙片は、冊子状のデータ紙片又はジャバラ状のデータ紙片の少なくとも１つを形成することを特徴とする請求項１記載の封書。
【請求項５】
封書紙片に封書を開封する切り取り予定線を施すミシン目形成工程と、
各種情報と個人に関する情報とが印刷された複数のデータ印刷紙の両端辺を、印刷面が同一方向となるように順に丁合してデータ印刷片を形成するデータ印刷紙丁合工程と、
前記データ印刷紙丁合工程により形成されたデータ印刷片をＩ字型の形状に切り取る中抜き工程と、
前記中抜き工程により切り取られたＩ字型のデータ印刷片を、前記ミシン目形成工程により切り取り予定線が施されている封書紙片と、前記ミシン目形成工程により切り取り予定線が施されている宛名が印字された封書紙片とが覆うように、前記宛名が印字された封書紙片と、前記Ｉ字型のデータ印刷片と、前記封書紙片との両端辺を丁合させ、封書を作成するデータ印刷片丁合工程と、
を有することを特徴とする封書の製造方法。
【請求項６】
前記データ印刷紙丁合工程におけるデータ印刷片は、冊子状のデータ印刷片又はジャバラ状のデータ印刷片の少なくとも１つを形成することを特徴とする請求項５記載の封書の製造方法。
【請求項７】
前記データ印刷紙丁合工程におけるデータ印刷片及び前記データ印刷片丁合工程における封書が、同一の個人情報を丁合しているか否かを検証することを特徴とする請求項５記載の封書の製造方法。
【発明の詳細な説明】
【０００１】
【発明の属する技術分野】
本発明は、各種情報が印刷されたデータ印刷紙を内蔵する封書及びその製造方法に関する。
【０００２】
【従来の技術】
近年、ダイレクトメールは有力な広告媒体として注目されており、ダイレクトメールの需要が拡大している。例えば、遊園地の入場券や優待券を個人宛に配布、あるいは郵送することで消費者に提供していた。
【０００３】
【発明が解決しようとする課題】
しかしながら、単に、印刷物を封書に入れて消費者に提供しただけでは、消費者にとっては面白みに欠けるため、提供された封書を開封せずに捨ててしまうことも多々あり、消費者に対する訴求力といった点で不十分なものであった。また、入場券や優待券等の印刷物を封書の中に入れて消費者に提供する場合は、消費者の数が多くなるにつれて印刷物の封入作業が非常に煩雑なものとなる。また、封書内に入れる印刷物に個人に関する情報を盛り込む場合は、封書表面の宛名と印刷物との個人情報を照合する作業が困難であるため、窓開き封書等のコストの高い封書を使用せざるを得なかった。また、開封後の封書自体がゴミとなり、資源の有効利用がなされていないのが現状であり、商品のコスト高の要因でもあった。更に、個人情報が付された封書をゴミとして処分するのは好ましくなかった。
【０００４】
本発明は、上記事情に鑑みてなされたものであり、封書と封書内部の印刷物とを一体化させた、低コストかつ訴求効果のある封書及びその製造方法を提供することを目的とする。
【０００５】
【課題を解決するための手段】
かかる目的を達成するために、本発明は以下の特徴を有する。
請求項１記載の発明は、各種情報が印刷されたデータ紙片が、封書表面となる封書表片と封書裏面となる封書裏片との周辺において接着されてなる封書内部に位置するように、データ紙片と、封書表片と、封書裏片との両端部において綴合せてなる封書であって、データ紙片は、データ紙片を複数に分割する切り取り予定線又は切り取り予定線により分割した複数のデータ紙片を有し、封書表片及び封書裏片は、封書表片及び封書裏片の一部が切り取り予定線により分割されるデータ紙片を具備したまま、封書から分離可能となる切断予定線を有することを特徴とする。
【０００６】
請求項２記載の発明は、請求項１記載の封書において、封書裏片及び封書表片の有する切断予定線の一方は、封書を開封するジッパー部を形成することを特徴とする。
【０００７】
請求項３記載の発明は、請求項１記載の封書において、データ紙片と、封書表片と、封書裏片との少なくとも１つに、個人に関する情報を印字することを特徴とする。
【０００８】
請求項４記載の発明は、請求項１記載の封書において、切り取り予定線により分割する複数のデータ紙片は、冊子状のデータ紙片又はジャバラ状のデータ紙片の少なくとも１つを形成することを特徴とする。
【０００９】
請求項５記載の発明は、封書紙片に封書を開封する切り取り予定線を施すミシン目形成工程と、各種情報と個人に関する情報とが印刷された複数のデータ印刷紙の両端辺を、印刷面が同一方向となるように順に丁合してデータ印刷片を形成するデータ印刷紙丁合工程と、データ印刷紙丁合工程により形成されたデータ印刷片をＩ字型の形状に切り取る中抜き工程と、中抜き工程により切り取られたＩ字型のデータ印刷片を、ミシン目形成工程により切り取り予定線が施されている封書紙片と、ミシン目形成工程により切り取り予定線が施されている宛名が印字された封書紙片とが覆うように、宛名が印字された封書紙片と、Ｉ字型のデータ印刷片と、封書紙片との両端辺を丁合させ、封書を作成するデータ印刷片丁合工程と、を有することを特徴とする。
【００１０】
請求項６記載の発明は、請求項５記載の封書の製造方法において、データ印刷紙丁合工程におけるデータ印刷片は、冊子状のデータ印刷片又はジャバラ状のデータ印刷片の少なくとも１つを形成することを特徴とする。
【００１１】
請求項７記載の発明は、請求項５記載の封書の製造方法において、データ印刷紙丁合工程におけるデータ印刷片及びデータ印刷片丁合工程における封書が、同一の個人情報を丁合しているか否かを検証することを特徴とする。
【００１２】
本発明における封書は以下の処理を施すことで形成される。
まず、入場券や割引券などの複数のデータ印刷紙に、予め氏名等の個人情報の印字を行う。該印字を行った複数のデータ印刷紙に分割用ミシン目を設ける。又は、該データ印刷紙にスリット加工を施して複数に分割する。次に、複数のデータ印刷紙が封書の内部に位置するように、該データ印刷紙の両端辺を、封書の対向する二辺に綴合せて形成される。このように形成された、封書の一部と一体となったデータ印刷紙は、冊子状に綴じられているため携帯に便利となる。
また、封書の表紙に切取線を設け、該切取線を切断することでデータ印刷紙と封書の一部が一体となった二冊の冊子が分離される。この封書は、受取人に興味を抱かせ開封を促し高い広告効果が得られる。
【００１３】
【発明の実施の形態】
以下、添付図面を参照しながら本発明にかかる封書及びその製造方法の実施の形態について詳細に説明する。
【００１４】
図１を参照しながら封書の構成を説明する。
封書は、封書を形成する封書裏面となる封書裏片１と、冊子及びジャバラを形成する複数のデータ印刷紙２〜６と、封書を形成する封書表面となる封書表片７とを貼り合わせて構成される。また、封書裏片１と封書表片７との少なくとも一方は、封書を形成する点を考慮して多少厚みのあるものを使用することが好ましい。以下、封書を形成する各構成要素について説明する。
【００１５】
図２に、封書表片７の形状（封筒―表）を示す。
封書表片７には、封書表片７の縁周辺部に沿って封書を開封し分割するための分割用ミシン目が横に２つ１１，１２形成されている。また、封書中央部に封書を開封するためのミシン目が縦に２つ１３，１４形成されている。この４つの開封用ミシン目により、封書中央部に、長方形状に区画されたジッパーとなる部分（ジッパー部）１５が形成される。また、封書紙片７の縁周辺部に綴じ代部１６を有し、この綴じ代部１６に接着剤を塗布して、封書裏片１と綴じ合わせて封書を形成する。なお、綴じ代部１６に接着剤を塗布する方法としては、封書が密封するように封書表片７の縁に沿って塗布することが好ましい。また、ジッパー部１５により分割された封書表片７の一端部１７は、冊子状のデータ印刷片を形成する部分となり、他端部１８は、ジャバラ状のデータ印刷片を形成する部分となる。
【００１６】
図３に、封書裏片１の形状（封筒―裏）を示す。
封書裏片１には、封書裏片１の縁周辺部に沿って綴じ代部２０を有し、封書表片７と綴じ合わせて封書を形成する。また、封書裏片１の両端部には、ミシン目２１が形成されており、封書裏片１の一端のミシン目２１内部には、冊子状のデータ印刷片が貼り合わされる。また、封書裏方１の他端のミシン目２１内部には、ジャバラ状のデータ印刷片が貼り合わされる。
【００１７】
次に、図４を参照しながら冊子状のデータ印刷片の形状を説明する。
冊子状に形成されたデータ印刷片は、各データ印刷紙の一端部が具備する綴じ代部３０に糊などの接着剤を塗布して貼り合わせることで形成される。冊子状に形成されたデータ印刷片は、例えば、優待券として利用されるのであれば、駐車場無料券、ご友人優待券、イベント入場券、アトラクション利用券、ドリンク無料券等が印刷されている。なお、各データ印刷紙には個人を識別するための個人情報を印字することで、個人向けの優待券を作成することができる。冊子状に形成されたデータ印刷片には、該冊子から各データ印刷紙が容易に分割できるように、ミシン目３１が形成されている。また、冊子状のデータ印刷片の幅をデータ印刷紙ごとに変えることで段付き冊子を形成することができ、各データ印刷紙を容易に閲覧することができる。
【００１８】
次に、図５を参照しながらジャバラ状のデータ印刷片の形状を説明する。
ジャバラ状に形成されたデータ印刷片は、各データ印刷紙の端部が具備する綴じ代部に糊などの接着剤を塗布して形成される。この接着剤を塗布する位置をデータ印刷紙ごとに変え、接着剤を弱粘又は点加工（点線状の塗布加工）にすることで冊子状に形成されたデータ印刷片を開いてジャバラ状にすることができる。また、ジャバラ状に形成された印刷片の両面には、様々な情報が印刷される。例えば、各データ印刷紙が遊園地に利用されるのであれば、アクセスＭＡＰ、駐車場のご案内、割引券のご利用方法、各アトラクションのご案内、イベント情報等が印刷される。また、ジャバラをひろげた時に連続となるような園内地図等が印刷される。
【００１９】
次に、図２、図３、図６から図１０を参照しながら封書の作成方法例について説明する。
図６に、封書内部を形成するデータ印刷紙の１Ｐ（ページ）目を示し、図７に、封書内部を形成するデータ印刷紙の２Ｐ目を示し、図８に、封書内部を形成するデータ印刷紙の３Ｐ目を示し、図９に、封書内部を形成するデータ印刷紙の４Ｐ目を示し、図１０に、封書内部を形成するデータ印刷紙の５Ｐ目を示す。
この作成方法例では、データ印刷片を形成する５枚のデータ印刷紙（１Ｐ〜５Ｐ）と、封書裏片１（封筒―裏）と、封書表片７（封筒―表）と、を用いて作成する例を説明する。
【００２０】
まず、データ印刷片の下部となるデータ印刷紙（５Ｐ目）の両端部に具備する綴じ代部３０、３２に接着剤を塗布し、５Ｐ目の上部となるデータ印刷紙（４Ｐ目）を貼り合わせる。次に、４Ｐ目となるデータ印刷紙において、冊子状のデータ印刷片を形成する側１７には、５Ｐ目と同様の場所（端部）に具備する綴じ代部３０に接着剤を塗布する。また、ジャバラ状のデータ印刷片を形成する側１８には、該ジャバラ状のデータ印刷片を形成する一端部の具備する綴じ代部（点線部）３２に、弱接着剤（貼り合わせたデータ印刷紙がすぐに剥がれる（遊着）程度の接着剤）を塗布する。また、ジャバラ状のデータ印刷片を形成する他端部の具備する綴じ代部（４Ｐ目の中央部に具備する綴じ代部）３３に接着剤を塗布する。該塗布した４Ｐ目のデータ印刷紙に、４Ｐ目の上部となるデータ印刷紙（３Ｐ目）を貼り合わせる。次に、３Ｐ目のデータ印刷紙において、５Ｐ目と同様の場所に具備する綴じ代部３０、３２に接着剤を塗布して、３Ｐ目の上部となるデータ印刷紙（２Ｐ目）を貼り合わせる。次に、２Ｐ目のデータ印刷紙において、４Ｐ目のデータ印刷紙と同様な場所に具備する綴じ代部３０、３２、３３に、４Ｐ目と同様に接着剤を塗布する。該塗布した２Ｐ目のデータ印刷紙に、２Ｐ目の上部となる１Ｐ目のデータ印刷紙を貼り合わせる。上記処理により、冊子状のデータ印刷片と、ジャバラ状のデータ印刷片とを形成するデータ印刷片を形成する。
【００２１】
次に、封書裏片１（封筒―裏）の具備する綴じ代部２０に接着剤を塗布し、該塗布した封書裏片１の上部に、上記形成したデータ印刷片を貼り合わせる。また、上記形成したデータ印刷片の上部となる１Ｐ目のデータ印刷紙の具備する綴じ代部３０、３２に接着剤を塗布して、封書表片７（封筒―表）を貼り合わせ、かつ、封書裏片と綴じ合わせ、封書を形成する。
【００２２】
このように、複数のデータ印刷紙に接着剤を塗布しつつ順に貼り合わせて、冊子状のデータ印刷片と、ジャバラ状のデータ印刷片とを有するデータ印刷片を形成し、該形成したデータ印刷片の下面に、封書裏片１を貼り合わせ、データ印刷片の上面に、封書表片７を貼り合わせ、封書裏片１と封書表片７とを綴じ合わせて、封書を作成することができる。
【００２３】
次に、図２、図１１を参照しながら封書の開封方法について説明する。
まず、封書表片７の中央部に形成されたジッパー部１５を矢印方向に沿ってめくる（１）。該めくったジッパー部１５の両端１３、１４を保持しつつミシン目１１、１２に沿って左右方向に開く（観音開き）（２）。次に封書の両端部（封書裏片１の具備するミシン目２１内部）を持ち、左右方向に引っ張り、封書裏片１に形成されたミシン目２１に沿って冊子状のデータ印刷片と、ジャバラ状のデータ印刷片とを取り外す（３）。以上の処理により、封書から冊子状のデータ印刷片とジャバラ状のデータ印刷片とを分離することができる。
【００２４】
なお、分離した冊子状のデータ印刷片は、該冊子状データ印刷片を形成する、データ印刷紙の具備するミシン目３１に沿って切り取ることでデータ印刷紙を使用することができる。
【００２５】
また、ジャバラ状のデータ印刷片は、該ジャバラ状のデータ印刷片を形成する封書表片７と封書裏片１とを左右対象に引っ張ることで、データ印刷紙に弱接着剤を塗布した部分（２Ｐ目、４Ｐ目の綴じ代部３２）が剥がれジャバラ状のデータ印刷片を開封することができる。
【００２６】
（実施例）
次に、図１２を参照しながら上記封書を作成する一連の処理動作を説明する。まず、オフセット印刷を行い、封書を形成する各データ印刷紙（２〜６）と、封書表片７とに、遊園地等の入場券又は優待券等のデータ印刷を行う（ステップＳ１）。なお、各データ印刷紙（２〜６）と、封書表片７とは表、裏両面にデータ印刷が可能である。
【００２７】
なお、オフセット印刷時に、封書表片７には、図２に示すようにミシン加工を施し、封書表片７の縁周辺部に沿って、封書を分割するための分割用ミシン目が横に２つ１１，１２形成される。また、封書中央部に封書を開封するためのミシン目が縦に２つ１３，１４形成される。
【００２８】
データ印刷片を形成する各データ印刷紙２〜６には、図６から図１０に示すように冊子状のデータ印刷片とジャバラ状のデータ印刷片とに分割する部分３４と、該冊子状のデータ印刷片からデータ印刷紙を切り離す部分３１との２つの部分にミシン加工を施し、ミシン目が形成される。また、丁合加工時に冊子状のデータ印刷片とジャバラ状の印刷片とを分離するスリット加工を同時に行う場合、分割線３４の位置がスリット加工される。
【００２９】
封書裏片１には、図３に示すように封書裏片１　の一端に貼り合わされる冊子状のデータ印刷片と、封書紙片の他端に貼り合わされるジャバラ状のデータ印刷片とを、封書裏片１から分離させる部分２１にミシン加工を施し、ミシン目が形成される。
【００３０】
次に、オフセット印刷を行った各データ印刷紙２〜６と、封書表片７とに、個人を識別するための個人情報を印字する（ステップＳ２）。この印字処理により、Ａさん，Ｂさん，Ｃさん，Ｄさんといったように、個人情報が各データ印刷紙２〜６、封書表片７に印字される。なお、この印字処理は、封書を形成する全ての印刷紙に適用可能であり、個人情報の印字は、封書において、１ページであっても複数ページに渡っても良く、封書のレイアウトに応じて任意の枚数に印字してもよい。
【００３１】
なお、上記において、データ印刷紙２〜６と、封書表片７と、封書裏片１とは送り孔を有し、オフセット印刷及び印字処理の動作は、印刷紙がロール状に巻いた形で動作が完了する（Ｒｏｌｌ　ｔｏ　Ｒｏｌｌ）。これにより一連の処理を効率に行うことができる。
【００３２】
次に、丁合処理を行い（ステップＳ３）、封書を作成する。
以下に、図１３、図１４を参照しながらロールコレータ機を用いた丁合処理を説明する。
図１３にロールコレータ機の構成を示す。
本実施形態に適用されるロールコレータ機は、７つのロール（Ｒ１〜Ｒ７）と、中抜き加工を施す中抜き加工部４０と、を有して構成される。ロールＲ１〜Ｒ５、Ｒ７には検証機が設置されている。ロールＲ１には、封筒パターン糊を塗布するフレキソ印刷ユニットと線状または点線状に塗布するノズル噴射式の糊付ユニットが設置されている。ロールＲ３〜Ｒ５には、線状または点線状に塗布するノズル噴射式の糊付ユニットが設置されている。ロールＲ６には、封筒パターン糊を塗布するフレキソ印刷ユニットが設置されている。また、ロールＲ７には線状または点線状に塗布するノズル噴射式の糊付ユニットが設置されている。
【００３３】
７つのロールは、搬送ベルトの上位に４つのロール（Ｒ３〜Ｒ５，Ｒ７）を有し、下位に３つのロール（Ｒ１，Ｒ２，Ｒ６）を有する。ロールＲ１には、園内地図の情報及びドリンク無料券が印刷されたデータ印刷紙（５Ｐ目）がセットされ、ロール２には、各アトラクションのご案内及びアトラクション利用券が印刷されたデータ印刷紙（４Ｐ目）がセットされている。以下同様に、ロールＲ３には、園内地図の情報及びイベント情報が印刷されたデータ印刷紙（３Ｐ目）がセットされ、ロールＲ４には、駐車場のご案内情報及びご友人招待券とが印刷されたデータ印刷紙（２Ｐ目）がセットされ、ロールＲ５には、園内地図の情報及び駐車場無料券が印刷されたデータ印刷紙（１Ｐ目）がセットされている。ロールＲ６には、封書裏片（封筒―裏）がセットされ、ロールＲ７には、封書表片（封筒―表）がセットされている。
【００３４】
上記構成されたロールコレータ機において、まず、５枚のデータ印刷紙１Ｐ目，２Ｐ目，３Ｐ目，４Ｐ目，５Ｐ目と、を糊付けして丁合する。その糊付け丁合時において、まず、封書を形成する各印刷紙に具備する送り孔をローラに保持して各印刷紙をセットする（ステップＳ１０）。次に、各印刷紙をそれぞれ個別に同一方向に送ると共に、４Ｐ目の下側に、５Ｐ目を貼り合わせる（ステップＳ１１）。次に、４Ｐ目の上側に、３Ｐ目を貼り合わせる（ステップＳ１２）。次に、３Ｐ目の上側に、２Ｐ目を貼り合わせる（ステップＳ１３）。更に、２Ｐ目の上側に、１Ｐ目を貼り合わせる（ステップＳ１４）。
【００３５】
以上の処理により、５枚のデータ印刷紙が丁合されたデータ印刷片を形成することができる。なお、データ印刷片を形成する際に、ローラの配置位置により、貼り合わせる工程が違ってくるが、最終的にデータ印刷片を形成した段階で、１Ｐから５Ｐが順番に丁合されていれば良く、貼り合わせる工程は限定しない。
【００３６】
なお、データ印刷紙を貼り合わせる際は、セットしたロール紙から繰りだされるデータ印刷紙の所定箇所（データ印刷紙に貼付してある糊線）に接着剤を塗布しながらデータ印刷紙を互いに貼り合わせる。
【００３７】
また、丁合時において、検証機により、同一の個人情報のデータ印刷紙を貼り合わせているか否かの検証（マッチング検証）を行い、丁合のズレを防止する。マッチング検証としては、個人情報を印字する際に、バーコード（個人情報を識別する情報）を印字し、検証機において、バーコードが一致しているか否かを識別して検証する方法が挙げられる。
【００３８】
次に、５枚の丁合されたデータ印刷片に中抜き加工を行う（ステップＳ１５）。中抜き加工の処理動作は図１５に示すようにデータ印刷片の両端を連続させて長方形状に切り落とす。この中抜き加工により連続したデータ印刷片が形成される。次に、送り孔部で保持した状態で、データ印刷片の下側に、封書裏片を貼り合わせる（ステップＳ１６）。次に、データ印刷片の上側に封書表片を貼り合わせる（ステップＳ１７）。なお、封書表片において、上面には、宛名となる情報が印字されている。
【００３９】
なお、貼り合わせる際は、セットしたロール紙から繰りだされる封書紙片の所定箇所（封書紙片に貼付してある糊線）に塗布しながら封書を密封するように貼り合わせる。また、封書裏片の丁合時においては、マッチング検証を行い、丁合のズレを防止する。
【００４０】
次に、全ての印刷紙が貼り合わされた封書を、所定の封書の形状になるように両端を封書カットして（ステップＳ１８）、処理を終了する。
【００４１】
このように、印刷済みのロール紙をセットし、該セットしたロール紙から繰り出されるデータ印刷紙の所定箇所（データ印刷紙に貼付してある線）に塗布しながら各データ印刷紙を互いに貼り合わせることでデータ印刷片を形成する。該形成したデータ印刷片に中抜き加工を施し、Ｉ字型のデータ印刷片を作成する。該Ｉ字型のデータ印刷片の上面に封書表片７を貼り合わせ、該Ｉ字型のデータ印刷片の下面に封書裏片１を貼り合わる。この貼り合わせた封書の端を切断することで、封書を作成する。
【００４２】
また、データ印刷紙及び封書表片７の端部には、個人を識別できるバーコードを有しており、各ローラに連動して設置した検証機にバーコードの読み込みを行い、検証を行うことで、個人データが一致して丁合されているか否かを判断することができる。
【００４３】
なお本発明は、上述する実施の形態に限定されるものではなく、本発明の要旨を逸脱しない範囲内において種々変更実施が可能である。例えば、本実施の形態において、データ印刷紙、封書表片、封書裏片の綴じ合わせには、ノズル式により糊を塗布して貼り合わせたが、糊車式でもよく、また、ノズル式と糊車式との併用も可能である。また、感圧、感熱接着材等を使用することも可能である。
【００４４】
また、本実施の形態において、ミシン加工を、ロールコレータ機を使用する前に行ったが、各ロールに、ミシン加工装置を取り付けてミシン目を形成することも可能である。
【００４５】
また、本実施の形態は、７枚の印刷紙を糊付け丁合する例を取ったが、封書を形成する枚数に応じた数のローラを設置することで、複数の印刷紙を糊付け丁合する場合にも適用できる。
【００４６】
また、封書において、接着剤を施す位置をパーツ毎に変えることで、ジャバラ状のデータ印刷紙と、冊子状のデータ印刷紙との組み合わせは自由に設定することができる。
【００４７】
【発明の効果】
以上の説明により明らかなように本発明によれば以下のような効果を成し得る。
第１の効果として、封書表片に個人に関する情報を印字し、該印字した部分を冊子状のデータ印刷片又はジャバラ状のデータ印刷片に併用することで、封書表片に印字した宛名部分を同封物に有効利用することができる。これにより、封書から宛名部分を取り外すこともなく、宛名データの保護とセキュリティを確保することができる。
【００４８】
第２の効果として、封書表片の中央部に、ミシン加工を施し、封書を開封するためのジッパー部を具備することで、該具備したジッパー部より封書を開封することができる。これにより、ナイフ、カッター等を不要とし、また、開封時のゴミを削減することができる。
【００４９】
第３の効果として、観音開きの開封方法を用いることで、開封方法の工夫により、消費者に興味を持たせることができる。これにより、開封率を向上させることができ、かつ、開封時に内容物を効果的に見せ、更に訴求効果を高めることができる。
【図面の簡単な説明】
【図１】本発明にかかる封書の構成を示すブロック図である。
【図２】封書表面となる封書紙片の形状を示す図である。
【図３】封書裏面となる封書紙片の形状を示す図である。
【図４】冊子状のデータ印刷片を示す図である。
【図５】ジャバラ状のデータ印刷片を示す図である。
【図６】封書内部を形成するデータ印刷紙の１ページ（Ｐ）の状態を示す図である。
【図７】封書内部を形成するデータ印刷紙の２ページ（Ｐ）の状態を示す図である。
【図８】封書内部を形成するデータ印刷紙の３ページ（Ｐ）の状態を示す図である。
【図９】封書内部を形成するデータ印刷紙の４ページ（Ｐ）の状態を示す図である。
【図１０】封書内部を形成するデータ印刷紙の５ページ（Ｐ）の状態を示す図である。
【図１１】封書の開封方法を説明する図である。
【図１２】本発明にかかる封書を作成する処理動作を示すフローチャートである。
【図１３】ロールコレータ機の構成を示すブロック図である。
【図１４】本発明にかかる丁合の処理動作を示すフローチャートである。
【図１５】ロールコレータ機において、中抜き加工を施した場合の状態を示す図である。
【符号の説明】
１　封書裏片
２、３、４、５、６　データ印刷紙
７　封書表片
１１、１２、１３、１４、２１、３１、３４　ミシン目
１５　ジッパー部
１６、２０、３０、３２、３３　綴じ代部
４０　中抜き加工部
Ｒ１、Ｒ２、Ｒ３、Ｒ４、Ｒ５、Ｒ６、Ｒ７　ロール
【図１】
2004042387.tif 000003
【図２】
2004042387.tif 000004
【図３】
2004042387.tif 000005
【図４】
2004042387.tif 000006
【図５】
2004042387.tif 000007
【図６】
2004042387.tif 000008
【図７】
2004042387.tif 000009
【図８】
2004042387.tif 000010
【図９】
2004042387.tif 000011
【図１０】
2004042387.tif 000012
【図１１】
2004042387.tif 000013
【図１２】
2004042387.tif 000014
【図１３】
2004042387.tif 000015
【図１４】
2004042387.tif 000016
【図１５】
2004042387.tif 000017